(57)【特許請求の範囲】
【請求項１】
フレームに固定される固定スクロールと、
該固定スクロールに対して旋回運動を行うことで圧縮室を形成する旋回スクロールと、
前記旋回スクロールをクランク軸を介して駆動する電動機と、
前記クランク軸のツバ部よりも下側に設けられて前記クランク軸の主軸部を回転自在に支持する軸受部と、を備えたスクロール圧縮機において、
前記ツバ部と前記軸受部との間に、上側で前記ツバ部と接触するとともに下側で前記軸受部と接触するスラストストッパを備え、
このスラストストッパと前記ツバ部とは前記クランク軸と同一部材で一体に形成されており、
前記ツバ部の外径をφＤｔとし、前記スラストストッパの外径をφＤｓとすると、
φＤｔ＜φＤｓ
の関係にあることを特徴とするスクロール圧縮機。
【請求項２】
請求項１において、
前記軸受部の上面の内周側端部に対して前記スラストストッパの外周側端部の位置が外周側にあることを特徴とするスクロール圧縮機。
【請求項３】
フレームに固定される固定スクロールと、
該固定スクロールに対して旋回運動を行うことで圧縮室を形成する旋回スクロールと、
前記旋回スクロールをクランク軸を介して駆動する電動機と、
前記クランク軸のツバ部よりも下側に設けられて前記クランク軸の主軸部を回転自在に支持する軸受部と、を備えたスクロール圧縮機において、
前記ツバ部と前記軸受部との間に、上側で前記ツバ部と接触するとともに下側で前記軸受部と接触するスラストストッパを備え、
前記ツバ部の外径をφＤｔとし、前記スラストストッパの外径をφＤｓとすると、
φＤｔ＜φＤｓ
の関係にあり、且つ
前記軸受部は転がり軸受であり、該転がり軸受の内輪の内径側の上部に面取り部が設けられている場合に、
前記内輪の内径をφＤｂとし、前記内輪の平らな上面部における内周側端部から前記クランク軸の主軸部に面する内周面までの最短距離をＲｃとすると、
φＤｂ＋Ｒｃ×２＜φＤｓ
の関係にあることを特徴とするスクロール圧縮機。
【請求項４】
請求項１〜３の何れか一項において、
前記クランク軸の内部に、密閉容器内の油溜りから、旋回スクロールの旋回側板部における旋回側ラップとは反対側に形成された旋回スクロール軸受部へ給油するための給油経路を設け、前記軸受部への給油は前記旋回スクロール軸受部を経由して行われ、
シール材を配設する前記フレームの溝の前記ツバ部に対向する面の内径側に、シール材配設側と前記軸受部を連通する給油経路を１個または複数個設けたことを特徴とするスクロール圧縮機。
【請求項５】
請求項１〜３の何れか一項において、
前記クランク軸の内部に、密閉容器内の油溜りから、旋回スクロールの旋回側板部における旋回側ラップとは反対側に形成された旋回スクロール軸受部へ給油するための給油経路を設け、前記軸受部への給油は前記旋回スクロール軸受部を経由して行われ、
前記スラストストッパの外周側にツメ部を複数個設け、前記スラストストッパのリング部の外径をφＤｓｒ、前記ツメ部の外径寸法をφＤｓｔ、フレームの前記ツバ部に対向する面の内径をφＤｆとした場合、
φＤｓｒ＜φＤｆ＜φＤｓｔ
の関係にあることを特徴とするスクロール圧縮機。
【請求項６】
請求項１〜３の何れか一項において、
前記軸受部を前記フレームと共に覆う軸受支持部を備え、前記軸受支持部と前記軸受部との間にはスラスト軸受が配設されており、
前記フレームと前記スラストストッパにより形成される軸方向の隙間を、前記スラスト軸受の厚さより小さくしたことを特徴とするスクロール圧縮機。
【発明の詳細な説明】
【技術分野】
【０００１】
本発明は、冷凍、空調用の冷媒、空気やその他のガスの圧縮に好適なスクロール圧縮機に関する。
【背景技術】
【０００２】
従来のスクロール圧縮機としては、例えば特許第３９０９４１５号公報（特許文献１）がある。この特許文献１には、「旋回スクロール部材と駆動部の回転駆動手段とを連結するクランク軸と、クランク軸の主軸部を前記回転駆動手段より圧縮室側で支持する主軸支持部と、主軸支持部を配設する部材と、旋回スクロール部材の背面側を構成する空間をほぼ吐出圧力になる中央部空間とこの中央部空間の圧力より低い圧力となる外周部空間とに圧力的に分離するシール材とを備え、クランク軸の偏心ピン部を係合する旋回軸支持部を旋回スクロール部材に設け、偏心ピン部の端面が旋回スクロール部材の背面に正対して中央部空間の一部を形成するように偏心ピン部を旋回軸支持部に係合し、中央部空間に潤滑油を供給する給油手段を設けると共に中央部空間に供給された潤滑油のほとんどが圧縮室と反対側の前記主軸支持部を通過して密閉容器底部に戻されるように構成し、主軸支持部として転がり軸受を用いると共に、前記シール材で分離された前記中央部空間の外径を転がり軸受の外径より小さく構成した」と記載されている。【０００３】
これにより軸受信頼性の向上を図りつつ、固定スクロールへの旋回スクロール押付け力を適正化し、旋回スクロールと固定スクロールとの機械摺動部における機械摺動損失を低減してエネルギー効率の向上を図ると共にその機械摺動部の過剰押付けを抑制して信頼性の向上を図るものである（特許文献１の段落００１１、００１２参照)。
【先行技術文献】
【特許文献】
【０００４】
【特許文献１】特許第３９０９４１５号公報
【発明の概要】
【発明が解決しようとする課題】
【０００５】
特許文献１において、スクロール圧縮機の小形化を図る場合、クランク軸のツバ部を小さくすることにより、クランク軸を細くするとともに旋回スクロールの大きさを小さくすることが考えられる。しかしながら、特許文献１においてクランク軸のツバ部は、転がり軸受の内輪の上面でクランク軸の上下方向の荷重が支えられているため、ツバ部を小さくすると、このクランク軸の荷重が支えられなくなる虞があり、引いてはスクロール圧縮機の信頼生低下を招く虞がある。
そこで本発明はクランク軸のツバ部を小さくすることでスクロール圧縮機の小形化を図りつつ、軸受によりクランク軸のツバ部を支持することで信頼性低下の抑制を可能とすることを目的とする。
【課題を解決するための手段】
【０００６】
上記課題を解決するために、例えば特許請求の範囲に記載の構成を採用する。本願は上記課題を解決する手段を複数含んでいるが、その一例を挙げるならば、本発明は、フレームに固定される固定スクロールと、該固定スクロールに対して旋回運動を行うことで圧縮室を形成する旋回スクロールと、前記旋回スクロールをクランク軸を介して駆動する電動機と、前記クランク軸のツバ部よりも下側に設けられて前記クランク軸の主軸部を回転自在に支持する軸受部と、を備えたスクロール圧縮機において、前記ツバ部と前記軸受部との間に、上側で前記ツバ部と接触するとともに下側で前記軸受部と接触するスラストストッパを備え、このスラストストッパと前記ツバ部とは前記クランク軸と同一部材で一体に形成されており、前記ツバ部の外径をφＤｔとし、前記スラストストッパの外径をφＤｓとすると、
φＤｔ＜φＤｓ
の関係にあることを特徴とする。
また本発明は、フレームに固定される固定スクロールと、該固定スクロールに対して旋回運動を行うことで圧縮室を形成する旋回スクロールと、前記旋回スクロールをクランク軸を介して駆動する電動機と、前記クランク軸のツバ部よりも下側に設けられて前記クランク軸の主軸部を回転自在に支持する軸受部と、を備えたスクロール圧縮機において、前記ツバ部と前記軸受部との間に、上側で前記ツバ部と接触するとともに下側で前記軸受部と接触するスラストストッパを備え、前記ツバ部の外径をφＤｔとし、前記スラストストッパの外径をφＤｓとすると、
φＤｔ＜φＤｓ
の関係にあり、且つ前記軸受部は転がり軸受であり、該転がり軸受の内輪の内径側の上部に面取り部が設けられている場合に、前記内輪の内径をφＤｂとし、前記内輪の平らな上面部における内周側端部から前記クランク軸の主軸部に面する内周面までの最短距離をＲｃとすると、
φＤｂ＋Ｒｃ×２＜φＤｓ
の関係にあることを特徴とする。
【発明の効果】
【０００７】
本発明によれば、クランク軸のツバ部を小さくすることでスクロール圧縮機の小形化を図りつつ、軸受によりクランク軸のツバ部を支持することで信頼性低下の抑制が可能となる。【０００８】
本発明のその他の構成、効果については以下の実施例で詳細に説明する。
【図面の簡単な説明】
【０００９】
【図１】実施例１における流体圧縮機の縦断面図を示す。
【図２】実施例１における主軸受部の拡大図を示す。
【図３】実施例１におけるフレームのシール材配設部の形状を示す。
【図４】実施例２におけるスラストストッパの形状を示す。
【発明を実施するための形態】
【００１０】
本発明は、冷凍、空調用の冷媒、空気やその他のガスの圧縮に好適なスクロール圧縮機に関する。特に種々の用途において軸受部の信頼性及び圧縮機効率を維持しながら小形化を図るのに好適なスクロール圧縮機に関するものである。以下、本発明の複数の実施例について、図を用いて説明する。なお、各実施例の図における同一符号は同一物または相当物を示す。
【実施例１】
【００１１】
本発明の第１実施例の流体圧縮機であるスクロール圧縮機について図１及び図２を用いて説明する。  
図１は実施例１のスクロール圧縮機１の縦断面図であり、図２は図１の主軸受部の拡大図である。スクロール圧縮機１は、冷媒の圧縮を行う圧縮機構部２と、圧縮機構部２を駆動する駆動部３と、駆動部３と圧縮機構部２との双方と連結するクランク軸１２と、が密閉容器３０内に収納されて構成されている。【００１２】
圧縮機構部２は、固定スクロール５と旋回スクロール６とフレーム９を基本要素として構成されている。フレーム９は密閉容器３０に固定され、転がり軸受１６を支持している。また、フレーム９は転がり軸受１６を軸受支持部１８と共に覆っている。軸受支持部１８と転がり軸受１６の間にはスラスト軸受１７が配設されており、転がり軸受１６を押さえるようにフレーム９に着脱可能に取り付けられている。固定スクロール５は、固定側ラップ５ｃと固定側板部５ｂと吐出口５ａと背圧生成手段３６を基本構成部分として構成され、フレーム９にボルトにより固定されている。固定側ラップ５ｃは固定側板部５ｂの一方の側（図１では下側）に垂直に立設されている。旋回スクロール６は、旋回側ラップ６ａと旋回側板部６ｂと旋回スクロール軸受部６ｃとを基本構成として構成されている。旋回側ラップ６ａは、旋回側板部６ｂの一方の側（図１では上側）に垂直に立設されている。旋回スクロール軸受部６ｃは、旋回側板部６ｂの他方の側（旋回側ラップ６ａの反対側）に垂直に突出して形成されている。旋回スクロール６は、鋳鉄やアルミニウムなどを材料とする鋳物から各構成部分を加工することにより形成されている。【００１３】
固定スクロール５と旋回スクロール６を噛み合わせることにより構成される圧縮室１０３は、旋回スクロール６が旋回運動することで、その容積が減少して圧縮動作が行われる。この圧縮動作では、旋回スクロール６の旋回運動に伴って、作動流体が吸入パイプ７から吸入されて吸入口３９を経由して圧縮室１０３へ吸い込まれる。吸い込まれた作動流体は圧縮室１０３での圧縮行程を経て固定スクロール５の吐出口５ａから吐出圧力容器１０１へ吐出される。この吐出された作動流体は吐出パイプ３１を経由して密閉容器３０から外部へ吐出される。これによって、密閉容器３０内の空間は吐出圧力に保たれる。圧縮機構部２で圧縮する作動流体としては、地球環境に優しいＲ４１０ＡやＲ３２などの高圧冷媒が用いられている。【００１４】
旋回スクロール６を旋回駆動する駆動部３は、密閉容器３０に固定される固定子２２と固定子２２の内周側に配置されて回転する回転子２１とからなる電動機４を備えて構成される。また、オルダム継手１０は旋回スクロール６の自転防止機構の主要部品、転がり軸受２５はクランク軸１２の下部の副軸部１２ｃを回転自在に支持する副軸受である。旋回スクロール軸受部６ｃにはすべり軸受１１が設けられており、このすべり軸受１１によりクランク軸１２の上部のクランクピン１２ａが回転自在に支持される。【００１５】
クランク軸１２は、主軸部１２ｂとクランクピン１２ａと副軸部１２ｃとを一体に備えて構成されている。クランク軸１２はクランクピン１２ａの下部にクランクピン１２ａよりも外周側に広がるようにより大きな径φＤｔを有するツバ部１２ｄが形成される。ツバ部１２ｄと転がり軸受１６の内輪１６ａとの間には、ツバ部１２ｄよりもさらに大きな径φＤｓを有するスラストストッパ４１が取付けられ、転がり軸受１６の内輪１６ａを軸方向に位置決めしている。ここで、スラストストッパ４１はクランク軸１２のツバ部１２ｄと同一部材で一体で構成してもよく、これにより部品点数を低減することが可能となる。【００１６】
主軸部１２ｂと副軸部１２ｃとは、同一の軸心上に形成され、主軸部分を構成している。さらに、クランク軸１２の下端部には、給油ポンプ２８が装着されている。主軸受の転がり軸受１６、副軸受の転がり軸受２５はクランク軸１２の主軸部１２ｂおよび副軸部１２ｃをそれぞれ回転自在に支持する。旋回スクロール軸受部６ｃは、その内径にすべり軸受１１が圧入され、クランク軸１２のクランクピン１２ａを回転軸方向であるスラスト方向に移動可能に、かつ、回転自在に支持するように旋回スクロール６の背面側に設けられている。【００１７】
オルダム継手１０は、旋回スクロール６の旋回側板部６ｂの背面側に配設されている。オルダム継手１０に形成した直交する２組のキー部分の１組がフレーム９に構成したオルダム継手１０の受け部であるキー溝を滑動し、残りの１組が旋回側ラップ６ａの背面側に構成したキー溝を滑動する。これによって、旋回スクロール６は旋回側ラップ６ａの立設する方向である軸線方向に垂直な面内を固定スクロール５に対して自転せずに旋回運動する。【００１８】
圧縮機構部２は、電動機４に連結したクランク軸１２の回転によりクランクピン１２ａが偏心回転すると、旋回スクロール６がオルダム継手１０の自転防止機構により固定スクロール５に対し自転せずに旋回運動を行う。これにより、冷媒ガスが吸入パイプ７、吸入口３９を介して固定側ラップ５ｃおよび旋回側ラップ６ａで形成される圧縮室１０３に吸入する。旋回スクロール６の旋回運動により、圧縮室１０３では中央部に移動するに従い容積が減少することで冷媒ガスを圧縮し、圧縮ガスを吐出口５ａより吐出圧力空間１０１に吐出する。吐出圧力空間１０１に吐出されたガスは、圧縮機構部２および電動機４の周囲を循環したのち吐出パイプ３１から圧縮機外へ放出される。【００１９】
なお、固定スクロール５には、背圧生成手段３６が設けられており、背圧室１０２の圧力を吸入圧力と吐出圧力の中間の圧力（中間圧力）に保っている。旋回スクロール６の背面側に構成される背圧室１０２は、旋回スクロール６とフレーム９と固定スクロール５とで囲まれて形成される空間であり、シール材１３が内周側の吐出圧力と外周側の中間圧力を仕切っている。【００２０】
転がり軸受１６は電動機４の上側に配置され、副軸受部１０４の主要部を構成する転がり軸受２５は電動機４の下側に配置されている。転がり軸受１６、転がり軸受２５は、電動機４の両側で主軸部分を支持している。本実施例では、電動機４の両側で主軸部分を転がり軸受１６、転がり軸受２５により支持しているので、転がり軸受１６の動力損失を抑制しつつ、クランク軸１２の主軸部分が傾くことを防止することができる。【００２１】
給油ポンプ２８は、クランク軸１２の下端に設けられた容積形ポンプであり、油溜り３７に貯留された潤滑用の油を強制的に給油穴４０の内部を通して上部に供給する。これにより転がり軸受２５、旋回スクロール軸受部６ｃを経由して転がり軸受１６に潤滑油が供給されることで潤滑が行われる。なお、給油穴４０に供給された油は、旋回スクロール６と固定スクロール５との摺動部にも供給される。給油穴４０は、クランク軸１２の軸心に対して同心に縦に貫通するように設けられている。給油穴４０には、転がり軸受２５に給油するための横給油穴４２が設けられており、それぞれの軸受に適正な量の油が給油されるようになっている。【００２２】
転がり軸受１６は内輪１６ａとこれの外側に配置される外輪１６ｂと、その間に配置される複数の転がり体とにより構成される。ここで図２においてスラストストッパ４１がない場合を考えると、転がり軸受１６を組み立てる際には内輪１６ａがクランク軸１２に対して図２における下側から挿入されてツバ部１２ｄにより位置決めされる。そして内輪１６ａがクランク軸１２に圧入されて固定されるものである。組み立てた後には図２に示すような向きとなるため、転がり軸受１６の内輪１６ａの上面はクランク軸１２のツバ部１２ｄからの上下方向の荷重がかかることになる。よって、この場合にはツバ部１２ｄの内径φＤｔが内輪１６ａの内径φＤｂより大きくないと、上記したクランク軸１２の荷重を支持することができない。【００２３】
ここで、ツバ部１２ｄの内径φＤｔを小さくすることにより、クランク軸１２の内径を小さくするとともに、旋回スクロール６を小さくすることができるため、スクロール圧縮機１の小形化を図ることが可能となる。しかし、スラストストッパ４１がない場合には、内輪１６ａの上面とツバ部１２ｄとが接触する面積が小さくなるため、内輪１６ａの上面によりクランク軸１２の荷重を支持することができず、スクロール圧縮機１の信頼性低下を招く虞がある。なお、本実施例では主軸受に転がり軸受１６を用いているが、主軸受に滑り軸受を採用した場合においても同様の問題が発生する。【００２４】
そこで本実施例では、クランク軸１２のツバ部１２ｄと、ツバ部１２ｄよりも下側に設けられてクランク軸１２の主軸部を回転自在に支持する軸受部（転がり軸受１６)と、ツバ部１２ｄと軸受部（転がり軸受１６)との間に上側でツバ部１２ｄと接触するとともに下側で軸受部（転がり軸受１６)と接触するスラストストッパ４１と、を備えた。そしてスラストストッパ４１の上面にはクランク軸１２の荷重がかかるように構成されている。この構成により、スラストストッパ４１の下面とツバ部１２ｄの上面とが面接触することで、クランク軸１２の荷重の支持を確実に行うことが可能となる。【００２５】
なお、このときのツバ部１２ｄの外径φＤｔとスラストストッパ４１の外径φＤｓとの関係は、φＤｔ＜φＤｓであることが必要である。また、軸受部の上面の内周側端部に対してスラストストッパ４１の外周側端部の位置が外周側にあることで、軸受部の上面とスラストストッパ４１の下面とが面接触することが可能となり、上記したクランク軸１２の荷重の支持の信頼性を向上することができる。【００２６】
ここで図２においては、転がり軸受の場合には内輪１６ａの上部においてクランク軸１２と接触する側に、つまり内輪１６ａの内径側の上部には面取り寸法Ｒｃの面取り部が設けられている例を示している。ここでは同じ半径のＲｃとなるように面取り寸法が取られた例を示しているが、これに限定されるものではない。これによりクランク軸１２に内輪１６ａを組み立てる際に作業性を良くすることが可能となる。この場合、軸受部の内径（図２では内輪１６ａ内径）をφＤｂとすると、φＤｂ＋Ｒｃ×２＜φＤｓであることが必要となる。図２ではＲｃは面取り部の半径寸法であるが、これが円形でない場合には、Ｒｃは軸受部（内輪１６ａ)の平らな上面部における内周側端部から、軸受部（内輪１６ａ)の主軸部１２ｂに面する内周面までの最短距離となる。この関係を満たすことにより、軸受部（内輪１６ａ)の上面とスラストストッパ４１の下面とが面接触することが可能となる。【００２７】
フレーム９にシール材１３を配設するための溝を備え、シール材を配設するフレームの溝のクランク軸１２のツバ部１２ｄに対向する面の内径をφＤｆとした場合には、φＤｆ＜φＤｓであることが必要となる。これによりスラストストッパ４１の外径φＤｓがフレーム内径φＤｆに引っ掛かり、圧縮機を組み立てる際に上下逆とした状態でもクランク軸が落下するのを防ぐことが可能となる。【００２８】
このように、転がり軸受１６の内輪１６ａをクランク軸１２に取り付ける際に軸方向の位置決めをスラストストッパ４１で行えるため、作業効率を向上することができる。また、上記したようにツバ部１２ｄの内径を小さくした場合においてもスラストストッパ４１によりクランク軸１２の支持が可能となるので、スクロール圧縮機１の小形化をしつつ、信頼性向上を図ることが可能となる。また、ツバ部１２ｄの外径φＤｔとスラストストッパ４１の外径φＤｓと面取り寸法Ｒｃとの関係をφＤｔ≦φＤｂ＋Ｒｃ×２とすることにより、ツバ部外径を軸受内輪上端の平面部より小さくして小型化を図った場合においても、スラストストッパ４１によりクランク軸１２の支持が可能である。【００２９】
図３はフレーム９のシール材配設部９ａを旋回スクロール６の側からみた図である。本実施例ではシール材配設部９ａよりも外周側にスラストストッパ４１を設けたため、本来はすべり軸受１１からの潤滑油がシール材配設部９ａとツバ部１２ｄとの間の給油経路を通って転がり軸受１６への供給がされにくくなっている。そこで、シール材配設部９ａにシール材１３配設側と転がり軸受１６側を連通する給油経路９ｂを１個または複数個設けることで、すべり軸受１１からの油を効率的に転がり軸受１６へ給油することができ、転がり軸受１６の冷却をより効果的に行うことが可能となる。つまり、スラストストッパ４１の外周端部よりもさらに外周側に上記給油経路９をフレーム９（シール材配設部９ａ）に形成したものである。【００３０】
また、フレーム９とスラストストッパ４１により形成される溝の軸方向の隙間１０５を、スラスト軸受１７の厚さより小さく設定することで、圧縮機構部２を上下逆にしてもスラスト軸受１７がカバー１８から外れるおそれがなくなる。これによりスクロール圧縮機１を組み立てる際、フレーム９を上下逆にした状態でフレーム９に転がり軸受１６やクランク軸１２、カバー１８等の部品を全て同一方向から（圧縮機下方側から）取り付けることが可能となり、スクロール圧縮機１の組立効率を向上させることができる。
【実施例２】
【００３１】
図４は、本発明における第２実施例のスラストストッパ４１の形状とフレーム９のシール材配設部９ａを示した図である。既に説明した図１及び図２に示された同一の符号を付された構成と、同一の機能を有する部分については、説明を省略する。
本実施例では、スラストストッパ４１の外周側にツメ部４１ａを複数個設け、スラストストッパ４１のリング部の外径をφＤｓｒ、ツメ部４１ａの外径寸法をφＤｓｔとしたとき、
φＤｓｒ＜φＤｆ＜φＤｓｔ  
の関係を満足するように構成されている。【００３２】
上記の構成とすることで、フレーム９へ給油経路９ｂを設けなくとも転がり軸受１６への給油経路を確保でき、スラストストッパ４１を薄い板のプレス加工でクランク軸１２とは別の部材で制作することにより製作コストの増加を抑えながら実施例１と同様の効果を奏することが可能となる。【００３３】
特に、近年地球温暖化が問題となっており、空調業界においても地球温暖化係数の小さい冷媒への移行が検討されており、地球温暖化係数の小さい冷媒Ｒ３２を使用することが注目されている。しかし、この冷媒Ｒ３２を使用する場合には圧縮された冷媒の温度上昇が従来の冷媒に対し大きくなり、実運転時の冷凍機油の粘度が高くなる。よって上記した実施例１、２によれば、Ｒ３２冷媒を冷凍サイクルに単一であるいは７０％以上の割合で採用した場合においても、小径を維持した上で給油経路を十分確保することができるため、圧縮機機構部の摺動部、特に軸受部の冷却手段の確保が可能となって軸受信頼性を高めることができる。
【符号の説明】
【００３４】
１…スクロール圧縮機、２…圧縮機構部、３…駆動部、４…電動機、５…固定スクロール、５ａ…吐出口、５ｂ…固定側板部、５ｃ…固定側ラップ、６…旋回スクロール、６ａ…旋回側ラップ、６ｂ…旋回側板部、６ｃ…旋回スクロール軸受部、７…吸入パイプ、９…フレーム、９ａ…シール材配設部、９ｂ…給油経路、１０…オルダム継手、１１…すべり軸受、１２…クランク軸、１２ａ…クランクピン、１２ｂ…主軸部、１２ｃ…副軸部、１２ｄ…ツバ部、１３…シール材、１６…転がり軸受、１６ａ…内輪、１６ｂ…外輪、１７…スラスト軸受、１８…軸受支持部、２１…回転子、２２…固定子、２３…下フレーム、２４…ハウジング、２５…転がり軸受、２８…給油ポンプ、３０…密閉容器、３７…油溜り、３９…吸入口、４０…給油穴、４１…スラストストッパ、４１ａ…ツメ部、４２…横給油穴、４３…油溜め空間、４４…磁石、１０１…吐出圧力空間、１０２…旋回スクロール背圧室、１０３…圧縮室、１０４…副軸受部、１０５…フレームとスラストストッパの軸方向隙間
【図１】
0006042530.tif 000002
【図２】
0006042530.tif 000003
【図３】
0006042530.tif 000004
【図４】
0006042530.tif 000005